(57)【特許請求の範囲】
【請求項１】
所定の形状を有する単一の筐体に、
光信号である放送信号を伝送する光ファイバーケーブルの先端のコネクタが着脱可能に接続される前記筐体の長手方向一端に設けられた入力側コネクタと、
前記光ファイバーケーブルを介して入力された前記光信号である放送信号を電気信号に変換する受光素子と、
前記電気信号に所定の信号処理を施す信号処理装置に対して着脱可能に接続され、前記受光素子により変換された電気信号を該信号処理装置に出力するとともに、前記電気信号に重畳して前記信号処理装置からの駆動電力を前記受光素子に供給する前記筐体の長手方向他端に設けられた規格化された内周ネジ式雌型の出力側コネクタと、
を備えたことを特徴とする放送信号用光変換コネクタ。
【請求項２】
前記出力側コネクタは、前記筐体の他端側から延伸する所定の伝送線の末端に設けられていることを特徴とする請求項１記載の放送信号用光変換コネクタ。
【請求項３】
前記単一の筐体に、前記受光素子により変換された前記電気信号を所定の信号レベルに増幅処理する増幅手段を備えたことを特徴とする請求項１記載の放送信号用光変換コネクタ。
【請求項４】
前記増幅手段は、増幅率の変更設定が可能なように構成されていることを特徴とする請求項３記載の放送信号用光変換コネクタ。
【請求項５】
前記単一の筐体に、前記入力側コネクタを介して入力される前記光信号を検出する検出手段と、
前記検出回路による前記光信号の検出結果を表示する表示手段と、
を備えたことを特徴とする請求項１記載の放送信号用光変換コネクタ。
【請求項６】
光変換コネクタと信号処理装置を有する光変換コネクタを備えた放送信号用光受信装置であって、
前記光変換コネクタは、
所定の形状を有する単一の筐体に、
光信号である放送信号を伝送する光ファイバーケーブルの先端のコネクタが着脱可能に接続される前記筐体の長手方向一端に設けられた入力側コネクタと、
前記光ファイバーケーブルを介して入力された前記光信号である放送信号を電気信号に変換する受光素子と、
前記信号処理装置に対して着脱可能に接続され、前記受光素子により変換された電気信号を該信号処理装置に出力する前記筐体の長手方向他端に設けられた規格化された内周ネジ式雌型の出力側コネクタと、
を有し、
前記信号処理装置は、
前記光変換コネクタの出力側コネクタから出力された前記受光素子により変換された電気信号に所定の信号処理を施す処理手段と、
前記受光素子により変換された電気信号に重畳して前記受光素子に駆動電力を供給する電源供給手段と、
を有することを特徴とする光変換コネクタを備えた放送信号用光受信装置。
【発明の詳細な説明】
【０００１】
【発明の属する技術分野】
本発明は、放送信号用光変換コネクタ及び光変換コネクタを備えた放送信号用光受信装置に関し、光ファイバーケーブルを介して伝送される光信号を電気信号に変換する放送信号用光変換コネクタ、及び、光変換コネクタにより変換された電気信号に所定の信号処理を施す光変換コネクタを備えた放送信号用光受信装置に関する。
【０００２】
【従来の技術】
従来、マンションやオフィスビル等におけるビル内共聴システムにおいては、伝送ケーブルとして同軸ケーブルを使用した通信システムが適用されていた。同軸ケーブルは、使用実績が高く、かつ、関連技術がほぼ完成されているため、確実かつ比較的安価に通信システムを構築できるというメリットを有しているが、伝送される電気信号の減衰（伝送損失）が著しいため、長距離の信号伝送に適用する場合には、中継器等を複数設置して信号強度を補償する必要があるとともに、伝送できる情報量が少ない（帯域が狭い）等のデメリットを有している。
一方、近年、情報化社会の進展に伴い、大量かつ多彩な情報の伝達への要望が高まり、次世代の通信システムとして光ファイバケーブルを利用した通信システムの構築が促進されている。光ファイバケーブルは、伝送損失が小さく、高帯域で、軽量、無誘導等の同軸ケーブルにはない顕著な特徴を有している。
【０００３】
以下に、従来のビル内共聴システムにおける概略構成について、図面を参照して簡単に説明する。
図１０に示すように、ビル内共聴システム１００は、ビルの屋上等に設置され、例えば、放送衛星（Broadcasting Satellite：ＢＳ）や通信衛星（Communication Satellite：ＣＳ）から送信される放送信号を受信するマスタアンテナ１０１、この放送信号（電気信号）を光信号に変換して光コード１１２に出力する光送信装置１１１、光コード１１２と複数本の光ファイバから構成される光ファイバーケーブル１２０の分界点（配線部）である送信側光成端箱１１３からなる送信側設備１１０と、同一ビル、又は、他のビルの地階等に設置され、光ファイバーケーブル１２０の１本のファイバを光コード１３２に接続する受信側光成端箱１３１、光コード１３２を介して伝送された光信号を電気信号に変換する光受信装置１３３、ビル内の各階、各部屋に設置され、分配器１３４を介して、変換された電気信号が同軸ケーブルにより配信される受信端末１３５からなる受信側設備１３０と、を有して構成されている。
【０００４】
このように、高層ビル等、マスタアンテナ近傍の送信側設備から受信側設備までの距離が比較的長い場合や、伝送される電気信号の種類が多い（周波数帯域が広い）場合には、光ファイバーケーブルを適用することにより、信号損失を小さくして、大量の情報を良好に伝達することができる。
ここで、上述したようなビル内共聴システムに適用される光受信装置１３３について説明すると、図１１に示すように、光ファイバケーブルを介して伝送される光信号を電気信号に変換するフォトダイオード等の受光素子１３３ａと、変換された電気信号を増幅するためのプリアンプ１３３ｂと、増幅された電気信号の利得を制御して信号レベルを安定化させる利得調整回路（ゲインコントロール：ＧＣ）１３３ｃと、安定化された電気信号を所定の信号レベル（規定値）に増幅するポストアンプ１３３ｄと、を有して構成されている。
【０００５】
【発明が解決しようとする課題】
しかしながら、上述した通信システム、特に、光受信装置においては、単一の筐体に、上記図１１に示したような光・電気変換機能及び信号処理機能を内蔵し、適用される通信システムの仕様に対応させた専用機器として、製造、提供されていたため、内部構成や筐体規模が不均一で多種多様化し、製品コストの上昇、汎用性の低下等を招いて、光ファイバーケーブルを利用した通信システムの導入を阻害するという問題を有していた。
そこで、本発明は、このような問題点に鑑み、適用される通信システムの仕様に影響されることなく、安価かつ簡易に設置することができ、光ファイバーケーブルを利用した通信システムの構築を一層促進することができる放送信号用光変換コネクタ及び光変換コネクタを備えた放送信号用光受信装置を提供することを目的とする。
【０００６】
【課題を解決するための手段】
請求項１記載の発明に係る放送信号用光変換コネクタは、所定の形状を有する単一の筐体に、
光信号である放送信号を伝送する光ファイバーケーブルの先端のコネクタが着脱可能に接続される前記筐体の長手方向一端に設けられた入力側コネクタと、
前記光ファイバーケーブルを介して入力された前記光信号である放送信号を電気信号に変換する受光素子と、
前記電気信号に所定の信号処理を施す信号処理装置に対して着脱可能に接続され、前記受光素子により変換された電気信号を該信号処理装置に出力するとともに、前記電気信号に重畳して前記信号処理装置からの駆動電力を前記受光素子に供給する前記筐体の長手方向他端に設けられた規格化された内周ネジ式雌型の出力側コネクタと、を備えたことを特徴としている。
【０００７】
請求項２記載の発明に係る放送信号用光変換コネクタは、請求項１記載の放送信号用光変換コネクタにおいて、前記出力側コネクタは、前記筐体の他端側から延伸する所定の伝送線の末端に設けられていることを特徴としている。
請求項３記載の発明に係る放送信号用光変換コネクタは、請求項１記載の放送信号用光変換コネクタにおいて、前記単一の筐体に、前記受光素子により変換された前記電気信号を所定の信号レベルに増幅処理する増幅手段を備えたことを特徴としている。
請求項４記載の発明に係る放送信号用光変換コネクタは、請求項３記載の放送信号用光変換コネクタにおいて、前記増幅手段が、増幅率の変更設定を可能なように構成されていることを特徴としている。
請求項５記載の発明に係る放送信号用光変換コネクタは、請求項１記載の放送信号用光変換コネクタにおいて、前記単一の筐体に、前記入力側コネクタを介して入力される前記光信号を検出する検出手段と、前記検出回路による前記光信号の検出結果を表示する表示手段と、を備えたことを特徴としている。
【０００９】
請求項６記載の発明に係る光変換コネクタを備えた放送信号用光受信装置は、光変換コネクタと信号処理装置を有する光変換コネクタを備えた放送信号用光受信装置であって、
前記光変換コネクタは、
所定の形状を有する単一の筐体に、
光信号である放送信号を伝送する光ファイバーケーブルの先端のコネクタが着脱可能に接続される前記筐体の長手方向一端に設けられた入力側コネクタと、
前記光ファイバーケーブルを介して入力された前記光信号である放送信号を電気信号に変換する受光素子と、
前記信号処理装置に対して着脱可能に接続され、前記受光素子により変換された電気信号を該信号処理装置に出力する前記筐体の長手方向他端に設けられた規格化された内周ネジ式雌型の出力側コネクタと、
を有し、
前記信号処理装置は、
前記光変換コネクタの出力側コネクタから出力された前記受光素子により変換された電気信号に所定の信号処理を施す処理手段と、
前記受光素子により変換された電気信号に重畳して前記受光素子に駆動電力を供給する電源供給手段と、
を有することを特徴としている。
【００１０】
【発明の実施の形態】
以下、本発明の実施の形態を、図面を参照しながら説明する。
＜第１の実施形態＞
図１は、本発明に係る光変換コネクタの第１の実施形態を示す概略構成図であり、図２は、本実施形態に係る光変換コネクタに適用される内部回路例を示す概略回路図であり、図３は、本実施形態に係る光変換コネクタと信号処理回路（汎用のＢＳ／ＣＳブースタ）との接続状態を示す外観図である。
【００１１】
図１（ａ）、（ｂ）に示すように、本実施形態に係る光変換コネクタ１０Ａは、大別して、円筒形状を有する単一の筐体１１の内部に、少なくとも光信号を電気信号に変換（光・電気変換）する受光素子ＰＤを備え、筐体１１の一方の端部に光ファイバ（又は、光コード）２１と接続する入力側コネクタ１２と、受光素子ＰＤにより光・電気変換された電気信号に増幅処理等の所定の信号処理を施す信号処理回路（信号処理装置）３１と接続する出力側コネクタ１３とを備えて構成され、入力端子In（入力側コネクタ１２）を介して入力された光信号を、電気信号に変換して出力端子Out（出力側コネクタ１３）から出力する。
【００１２】
受光素子ＰＤは、半導体素子からなる一種のダイオードであって、ダイオード接合に対して逆方向に電圧を印加することにより、入射された光信号の強度に比例した振幅を有する電気信号を出力する。受光素子ＰＤには、一般に、ピンフォトダイオードやアバランシェフォトダイオードが適用される。
入力側コネクタ１２は、光ファイバ４１の先端に取り付けられた規格化されたコネクタ（例えば、ＦＣ形、ＳＣ形）４２に着脱可能に接続される形状を有している。
【００１３】
また、出力側コネクタ１３は、同軸ケーブル用に規格化された雌側（内周ネジ側）コネクタ（例えば、Ｆ形、ＦＴ形）が適用され、信号処理回路３１に設けられた雄側（外周ネジ側）コネクタ３２に対して、着脱可能に接続される形状を有している。なお、後述するように、信号処理回路３１には、例えば、雄側コネクタ３２に直接接続される同軸ケーブルを介して伝送される電気信号を増幅処理する汎用のＢＳ／ＣＳブースタ等が適用される。ここで、汎用のＢＳ／ＣＳブースタは、アンテナ線（同軸ケーブル）を介して、アンテナコンバータ用の電源を供給する機能を備えており、これにより、上記受光素子ＰＤに駆動電力が供給される。
【００１４】
次いで、本実施形態に係る光変換コネクタの内部回路について説明する。
図２に示すように、光変換コネクタ１０Ａは、抵抗Ｒ１と、コンデンサＣ１、Ｃ２と、フォトダイオードＰＤと、インダクタンスＬ１、Ｌ２とを備え、図示を省略した信号処理回路にコネクタ接続された出力端子Outから、所定の駆動電力（電圧）が供給されて、受光素子ＰＤに逆バイアスが印加される。
このような回路構成において、光ファイバケーブルを介して光信号が受光素子ＰＤに入射すると、光信号の強度に比例した振幅を有する電気信号に変換されて、出力端子Outから出力される。
【００１５】
すなわち、本実施形態に係る光変換コネクタ１０Ａは、従来の光受信装置（図１１参照）における光・電気変換機能のみを独立した単一の筐体に収納して光・電気変換器（Ｏ／Ｅ）として構成したことを特徴とするものであり、図３に示すように、この光変換コネクタ１０Ａを汎用のＢＳ／ＣＳブースタ等の信号処理回路３１の雄側コネクタ３２にコネクタ接続することにより、電気信号に変換された放送信号を増幅処理して、従来の光受信装置と同等の機能を実現するものである。ここで、３３は、信号処理回路３１により増幅処理等の所定の信号処理が施された放送信号を出力する雄側コネクタであり、３４は、信号処理回路３１から出力される放送信号を各受信端末に配信するための同軸ケーブルである。なお、図３においては、光変換コネクタ１０Ａを信号処理回路３１の雄側コネクタ３２に直接コネクタ接続した状態を示したが、光変換コネクタ１０Ａと信号処理回路３１との間に同軸ケーブルを介して間接的に接続するようにしてもよい。
【００１６】
このような構成において、上述したように、光変換コネクタ１０Ａから信号処理回路３１に変換、出力される電気信号に重畳して、信号処理回路３１から出力側コネクタ１３（出力端子Out：信号処理回路３１の雄側コネクタ３２）を介して、光変換コネクタ１０Ａに駆動電力が供給されるので、光変換コネクタ１０Ａは、電源を備えることなく、光・電気変換機能を実現することができる。よって、回路構成を簡略化して筐体規模を大幅に小型軽量化することができる。
また、本実施形態に係る光変換コネクタ１０Ａに適用される受光素子ＰＤを、入射される光信号の幅広い帯域（例えば、数ＭＨｚ〜数ＧＨｚ）に対応して光・電気変換が可能なように設定することにより、出力側コネクタに接続される信号処理回路３１の周波数特性に関係なく、様々な種類のＢＳ／ＣＳブースタや、入力端子（すなわち、光変換コネクタ１０Ａが接続される端子）に、駆動電力となるＤＣ（直流）電源を供給することができる他のブースタ等に適用することができ、汎用性の高い光受信装置を実現することができる。
【００１７】
さらに、従来技術に示したように、同軸ケーブルを使用した通信システムは、技術的に確立されている上、広く普及しているので、多種多様な仕様に対応した汎用機器を安価かつ簡易に入手することができる。したがって、このような通信システムに適用される入手が容易な汎用のブースタに、本実施形態に係る光変換コネクタ１０Ａを直接、あるいは、同軸ケーブルを介してコネクタ接続することにより、専用の光受信装置を備えることなく、所定の仕様に対応した光受信装置を、安価かつ簡易に実現することができ、光ファイバケーブルを利用した通信システムの構築を一層促進することができる。
なお、汎用のブースタ等の信号処理回路３１から光変換コネクタ１０Ａに供給される駆動電力は、ゆらぎや歪みのない"ピュア"な電源であることが望ましい。光・電気変換時に電気信号にノイズ等が混入し、これが後段の信号処理に影響を及ぼすことを抑制するためである。
【００１８】
＜第２の実施形態＞
次に、本発明に係る光変換コネクタの第２の実施形態について、図面を参照して説明する。
図４は、第２の実施形態に係る光変換コネクタを示す概略構成図であり、図５は、本実施形態に係る光変換コネクタに適用される内部回路例を示す概略回路図であり、図６は、本実施形態に係る光変換コネクタと信号処理回路（汎用のＢＳ／ＣＳブースタ）との接続状態を示す概略構成図である。ここで、上述した実施形態と同等の構成については、同一の符号を付して、その説明を省略する。なお、必要に応じて、図１に示した概略構成図を参照して説明する。
図４に示すように、本実施形態に係る光変換コネクタ１０Ｂは、単一の筐体１１の内部に、光信号を電気信号に変換（光・電気変換）する受光素子ＰＤと、変換された電気信号を初段増幅するプリアンプ（増幅手段）２１とを備えて構成され、入力端子In（入力側コネクタ）を介して入力された光信号を所定の信号レベルの電気信号に変換して出力端子Out（出力側コネクタ）から出力する。
【００１９】
このような構成を有する光変換コネクタ１０Ｂの内部回路は、図５に示すように、抵抗Ｒ１と、コンデンサＣ１〜Ｃ３と、フォトダイオードＰＤと、インダクタンスＬ１〜Ｌ３と、プリアンプ２１を備え、図示を省略した信号処理回路にコネクタ接続された出力端子Outから、所定の駆動電力（電圧）が供給されて、受光素子ＰＤに逆バイアスが印加される。
そして、光ファイバケーブルを介して光信号が受光素子ＰＤに入射すると、光信号の強度に比例した振幅を有する電気信号に変換された後、プリアンプ２１により所定の信号レベルに初段増幅されて、出力端子Outから出力される。
【００２０】
すなわち、本実施形態に係る光変換コネクタ１０Ｂは、従来の光受信装置（図１１参照）における光・電気変換機能及び初段の増幅機能を独立した単一の筐体に収納して光・電気変換器（Ｏ／Ｅ）として構成したことを特徴とするものであり、図６に示すように、この光変換コネクタ１０Ａを汎用のＢＳ／ＣＳブースタ等の信号処理回路３１にコネクタ接続することにより、信号処理回路３１は、予め初段増幅された電気信号に対して、利得調整回路３１ａにより利得を制御して信号レベルを安定化させ、ポストアンプ３１ｂにより所定の信号レベル（規定値）に増幅する。
これにより、光変換コネクタ１０Ｂと信号処理回路３１とをコネクタ接続して構成される光受信装置により処理される信号（ＲＦ出力）のＣ／Ｎ比が改善されるとともに、信号処理回路３１側の回路構成をより簡略化して製品コストの低減を図ることできる。
【００２１】
＜第３の実施形態＞
次に、本発明に係る光変換コネクタの第３の実施形態について、図面を参照して説明する。
図７は、第３の実施形態に係る光変換コネクタを示す概略構成図である。ここで、上述した実施形態と同等の構成については、同一の符号を付して、その説明を省略する。
図７（ａ）、（ｂ）に示すように、本実施形態に係る光変換コネクタ１０Ｃは、単一の筐体１１の内部に、光信号を電気信号に変換（光・電気変換）する受光素子ＰＤと、変換された電気信号を初段増幅するプリアンプ（増幅手段）２１と、変換された電気信号を分岐する分岐器２２と、分岐された電気信号に基づいて光信号の入射の有無を検出する検波回路（検出手段）２３と、筐体１１の側面等に設けられ、光信号の検出結果を視覚的に認識させる表示ランプ（表示手段）２４とを備えて構成され、入力端子In（入力側コネクタ）を介して入力された光信号を所定の信号レベルの電気信号に変換して出力端子Out（出力側コネクタ）から出力するとともに、光信号の入力状態を視覚的に通知する。
【００２２】
このような構成を有する光変換コネクタ１０Ｃにおいて、上述した各実施形態と同様に、図示を省略した信号処理回路にコネクタ接続された出力端子Outから、所定の駆動電力（電圧）が供給されて、受光素子ＰＤに逆バイアスが印加され、光ファイバケーブルを介して光信号が受光素子ＰＤに入射すると、光信号の強度に比例した振幅を有する電気信号に変換された後、プリアンプ２１により所定の信号レベルに初段増幅される。初段増幅された電気信号は、出力端子Outから出力されるとともに、分岐器２２により分岐されて検波回路２３に入力され、ＲＦ信号（高周波信号）を取り出すことにより、受光素子ＰＤへの光信号の入射の有無が検出され、また、適正なＲＦレベルの有無が検出される。そして、受光素子ＰＤに光信号が入射されている場合には、例えば、表示ランプ２４を点灯、あるいは、未入射の場合とは異なる色（例えば、緑）で点灯する。
【００２３】
すなわち、光ファイバケーブルを介して光信号が入力された状態を表示ランプにより視覚的に通知することができるので、これにより、光信号の伝送状態や光変換コネクタにおける光・電気変換状態等を、メンテナンス要員等の観察者が容易に認識することができる。
なお、図７においては、分岐器２２をプリアンプ２１の後段に設けているが、受光素子ＰＤの後段に設けて受光素子ＰＤの出力レベルに基づいて、上記光信号の伝送状態や光・電気変換状態等を判定してもよい。
【００２４】
＜第４の実施形態＞
次に、本発明に係る光変換コネクタの第４の実施形態について、図面を参照して説明する。
図８は、第４の実施形態に係る光変換コネクタを示す概略構成図である。ここで、上述した実施形態と同等の構成については、同一の符号を付して、その説明を省略する。
図８に示すように、本実施形態に係る光変換コネクタ１０Ｄは、単一の筐体１１の内部に、受光素子ＰＤと、プリアンプ（増幅手段）２１と、受光素子ＰＤに入射された光信号の強度に応じた信号成分を増幅するアンプ２５と、増幅された信号成分に基づいて、受光レベルを判定する比較回路２６と、当該判定結果を視覚的に認識させる表示ランプ（表示手段）２７とを備えて構成され、入力端子In（入力側コネクタ）を介して入力された光信号を所定の信号レベルの電気信号に変換して出力端子Out（出力側コネクタ）から出力するとともに、光信号の入力状態（伝送状態）を視覚的に通知する。ここで、アンプ２５及び比較回路２６は、本発明における検出手段を構成している。
【００２５】
このような構成を有する光変換コネクタ１０Ｄにおいて、上述した各実施形態と同様に、光ファイバケーブルを介して光信号が受光素子ＰＤに入射すると、光信号の強度に比例した振幅を有する電気信号に変換された後、プリアンプ２１により所定の信号レベルに初段増幅し、出力端子Outから出力するとともに、受光素子ＰＤの受光レベルが取り出され、光信号の強度に比例した振幅のＤＣ部分（直流成分）を抽出して、アンプ２５により所定量増幅して比較回路２６に入力される。比較回路２６は、受光素子ＰＤにより所定の受光レベルが得られているか否かを判定し、その判定結果を表示ランプ２７に表示する。
これにより、光信号の伝送状態を検出することができるので、メンテナンス要員等の観察者は、容易に適正な光信号が受信されているか否かを認識することができる。
【００２６】
なお、上述した第２乃至第４の実施形態においては、プリアンプ２１に可変抵抗を設けてプリアンプ２１の増幅率（ゲイン）を変更設定可能なように構成してもよい。このようにゲイン調整部を設けることにより、光変換コネクタに入力される光信号のレベルが規定値よりも低い場合、あるいは、高い場合には、このゲイン調整部により光変換コネクタから出力される電気信号のレベルを規定値に調整して、規定レベルの信号を後段の信号処理回路に供給することができる。
また、上述した各実施形態に示した構成においては、光変換コネクタの筐体を円筒形状にした場合について説明したが、本発明はこれに限定されるものではなく、三角柱形状や四角柱形状等の他の形状を有しているものであってもよいことはいうまでもない。要するに、上述した信号処理回路との接続状態を良好に保持できるものであれば良く、例えば、上記実施形態に示した円筒形状の筐体の両端に入出力側コネクタを設けた構造によれば、光ファイバや同軸ケーブル等と延在方向を整列化して、接続経路を簡略化することができるとともに、取り付け、取り外し、交換時における作業性を向上することができる。
【００２７】
さらに、上述した各実施形態においては、筐体１１と一体的に入力側コネクタ１２、及び、出力側コネクタ１３を設けた構成について説明したが、本発明はこれに限定されるものではなく、例えば、図９（ａ）に示すように、筐体１１から出力側に同軸ケーブル（すなわち、可撓性の伝送線）１４を延伸し、その同軸ケーブル１４の末端に、出力側コネクタ１３を設ける構成としてもよい。このような構成を有する光変換コネクタ１０Ｅによれば、単一の筐体１１を有しつつ、筐体１１の設置方向（取り付け方向）に関わりなく、出力側コネクタ１３の接続方向を任意に変更することができるので、図９（ｂ）に示すように、信号処理回路３１との接続自由度を向上させて、コネクタ接続作業を容易に行うことができる。
【００２８】
【発明の効果】
請求項１記載の発明によれば、単一の筐体に、光信号である放送信号を伝送する光ファイバーケーブルの先端のコネクタが着脱可能に接続される前記筐体の長手方向一端に設けられた入力側コネクタと、光信号である放送信号を電気信号に変換する受光素子と、前記電気信号に所定の信号処理を施す信号処理装置に対して着脱可能に接続され、前記受光素子により変換された電気信号を該信号処理装置に出力するとともに、前記電気信号に重畳して前記信号処理装置からの駆動電力を前記受光素子に供給する前記筐体の長手方向他端に設けられた規格化された内周ネジ式雌型の出力側コネクタと、を備えたので、光・電気変換機能のみを有する光変換コネクタを、簡易な回路構成により小型軽量化して実現することができ、汎用のブースタ等の信号処理装置への簡易な接続が可能となる。
また、入出力側コネクタに接続される光ファイバや同軸ケーブル、他の配線等と延在方向を整列化して、接続経路を簡略化することができるとともに、取り付け、取り外し、交換時における作業性を向上することができる。
また、入力側コネクタは、光ファイバの先端に取り付けられた規格化されたコネクタに対応した構造を有し、着脱可能に接続されているので、光変換コネクタを簡易に光ファイバに接続、取り外しすることができ、通信システムの施工、メンテナンス時の作業性を向上させることができる。
また、出力側コネクタは、後段の信号処理装置や同軸ケーブルに取り付けられた規格化されたコネクタに対応した構造を有し、着脱可能に接続されているので、光変換コネクタを簡易に信号処理装置や同軸ケーブルに接続、取り外しすることができ、通信システムの施工、メンテナンス時の作業性を向上させることができる。
また、出力側コネクタは、電気信号に重畳して信号処理装置からの駆動電力を受光素子に供給するので、光変換コネクタに電源を備えることなく、光・電気変換機能を実現することができる。よって、回路構成を簡略化して筐体規模を大幅に小型軽量化することができる。
【００２９】
請求項２記載の発明によれば、出力側コネクタが、筐体の他端側から延伸する所定の伝送線の末端に設けられているので、光変換コネクタを構成する筐体の設置方向に関係なく、出力側コネクタの向きを任意に変更することができ、光変換コネクタの接続自由度を増して、後段の信号処理回路等との接続作業を容易に行うことができる。
請求項３記載の発明によれば、光変換コネクタの単一の筐体に、受光素子に加え、変換された電気信号を所定の信号レベルに増幅処理する増幅手段を備えたので、後段に接続される信号処理装置により処理される信号（ＲＦ出力）のＣ／Ｎ比を改善することができるとともに、後段の増幅回路の構成を簡略化して製品コストの低減を図ることできる。
【００３０】
請求項４記載の発明によれば、増幅手段が、増幅率の変更設定を可能なように構成されているので、信号処理装置に規定の電気信号を与えることができ、信号レベルの調整を簡易に行うことができ、システムの信頼性を確保することができる。
請求項５記載の発明によれば、光変換コネクタの単一の筐体に、入力される光信号を検出する検出手段と、検出回路による光信号の検出結果を表示する表示手段と、を備えたので、光信号の伝送状態や光変換コネクタにおける光・電気変換状態等を容易に視覚的に認識することができる。
【００３２】
請求項６記載の発明によれば、光変換コネクタと信号処理装置を有する光変換コネクタを備えた放送信号用光受信装置であって、
前記光変換コネクタは、
所定の形状を有する単一の筐体に、
光信号である放送信号を伝送する光ファイバーケーブルの先端のコネクタが着脱可能に接続される前記筐体の長手方向一端に設けられた入力側コネクタと、前記光ファイバーケーブルを介して入力された前記光信号である放送信号を電気信号に変換する受光素子と、前記信号処理装置に対して着脱可能に接続され、前記受光素子により変換された電気信号を該信号処理装置に出力する前記筐体の長手方向他端に設けられた規格化された内周ネジ式雌型の出力側コネクタと、を有し、前記信号処理装置は、前記光変換コネクタの出力側コネクタから出力された前記受光素子により変換された電気信号に所定の信号処理を施す処理手段と、前記受光素子により変換された電気信号に重畳して前記受光素子に駆動電力を供給する電源供給手段と、を有しているので、信号処理装置として、広く普及し、多種多様な仕様に対応した同軸ケーブル用の汎用機器を使用することができ、通信システムを安価かつ簡易に構築することができる。
また、光変換コネクタを簡易に光ファイバに接続、取り外しすることができ、通信システムの施工、メンテナンス時の作業性を向上させることができ、光変換コネクタに電源を備えることなく、光・電気変換機能を実現することができる。よって、回路構成を簡略化して筐体規模を大幅に小型軽量化することができる。
【図面の簡単な説明】
【図１】本発明に係る光変換コネクタの第１の実施形態を示す概略構成図である。
【図２】第１の実施形態に係る光変換コネクタに適用される内部回路例を示す概略回路図である。
【図３】第１の実施形態に係る光変換コネクタと汎用の信号処理回路との接続状態を示す外観図である。
【図４】本発明に係る光変換コネクタの第２の実施形態を示す概略構成図である。
【図５】第２の実施形態に係る光変換コネクタに適用される内部回路例を示す概略回路図である。
【図６】第２の実施形態に係る光変換コネクタと信号処理回路との接続状態を示す概略構成図である。
【図７】本発明に係る光変換コネクタの第３の実施形態を示す概略構成図である。
【図８】本発明に係る光変換コネクタの第４の実施形態を示す概略構成図である。
【図９】本発明に係る光変換コネクタの他の構成例を示す概略構成図である。
【図１０】従来のビル内共聴システムを示す概略構成図である。
【図１１】従来の光受信装置の内部回路例を示す概略回路図である。
【符号の説明】
１０Ａ〜１０Ｅ    光変換コネクタ
１１        筐体
１２        入力側コネクタ
１３        出力側コネクタ
２１        プリアンプ
２２        分岐器
２３        検波回路
２４、２７  表示ランプ
２５        アンプ
２６        比較回路
３１        信号処理回路
３１ａ      利得調整回路
３１ｂ      ポストアンプ
４１        光ファイバ
ＰＤ        受光素子
【図１】
0003695742.tif 000002
【図２】
0003695742.tif 000003
【図３】
0003695742.tif 000004
【図４】
0003695742.tif 000005
【図５】
0003695742.tif 000006
【図６】
0003695742.tif 000007
【図７】
0003695742.tif 000008
【図８】
0003695742.tif 000009
【図９】
0003695742.tif 000010
【図１０】
0003695742.tif 000011
【図１１】
0003695742.tif 000012